(57)【要約】【課題】  リム部に内装した照明器具でボウル部内を照らす。ボウル部内で発生する汚水や洗浄水が飛散した飛散水が発光用開口部から照明器具側に浸入しない。【解決手段】  便器５のボウル部１の上端開口縁部に設けたリム部２の後部に後方が開口した凹部５０を設けると共に凹部５０内に後側端部が嵌め込み用入口５１となった前後方向に延びる一対の嵌め込み用レール５２を設ける。嵌め込み用レール５２間の凹部５０の底部に発光用開口部２９を設ける。発光用開口部２９を透明な防水部材５３で覆う。照明器具６の左右両側に設けた嵌め込み部５４を嵌め込み用レール５２に嵌め込むと共に照明器具６を防水部材５３上に重複する。【選択図】図１
2008138423.tif 000002
【特許請求の範囲】
【請求項１】
便器のボウル部の上端開口縁部に設けたリム部の後部に後方が開口した凹部を設けると共に凹部内に後側端部が嵌め込み用入口となった前後方向に延びる一対の嵌め込み用レールを設け、上記嵌め込み用レール間の凹部の底部に発光用開口部を設け、発光用開口部を透明な防水部材で覆い、該照明器具の左右両側に設けた嵌め込み部を嵌め込み用レールに嵌め込むと共に照明器具を防水部材上に重複することを特徴とする照明器具付き便器。
【請求項２】
凹部の底部に重ねられる防水部材の下面部に発光用開口部に嵌め込まれる下突部を設け、防水部材の上面部に係止部を設け、照明器具の下面部に上記係止部に係止される被係止部を設けて成ることを特徴とする請求項１記載の照明器具付き便器。
【請求項３】
嵌め込み用レールのレール溝の上下方向の溝巾が嵌め込み用レールのレール溝の後端部の嵌め込み用入口側程次第に大きくなっていることを特徴とする請求項２記載の照明器具付き便器。
【発明の詳細な説明】
【技術分野】
【０００１】
本発明は、ボウル部内を照らすことができる照明器具付き便器に関するものである。
【背景技術】
【０００２】
従来から、便器に便器とは別体の温水洗浄便座装置を載置して取付けるものが知られている。そして、この温水洗浄便座装置は便器に載置して取付けられる温水洗浄機構を内蔵した本体部に便座、弁蓋を回動自在に取付けて構成してある。上記のような温水洗浄便座装置に便器のボウル部内を照らすための照明器具が設けたものが特許文献１により知られている。
【０００３】
上記従来例にあっては、便器のボウル部内を照らすには便器とは別体の温水洗浄便座装置を別途取付ける必要があり、また、便器の後部の上面部に載置して取付ける温水洗浄便座装置の本体内に照明器具が設けてあるので、便器よりも上方に照明器具が位置し、便器のボウル部内を広く照らすことができないという問題があった。特に、温水洗浄便座装置は、形状やサイズが異なる種々の便器に載置して取付けられるものであるから、この点でも便器のボウル部内を広く確実に照明し難い。
【特許文献１】特開２００６−３４９９３号公報
【発明の開示】
【発明が解決しようとする課題】
【０００４】
本発明は上記の従来の問題点に鑑みて発明したものであって、便器自体に内装した照明器具によりボウル部内を広く効果的に照らすことができ、しかも、便器自体に照明器具を取付けてボウル部内を照らすに当り、汚水や洗浄水の飛散水が照明器具にかかるのを防止でき、また、便器自体に照明器具を内装して取付けるのが簡単にできる便器を提供することを課題とするものである。
【課題を解決するための手段】
【０００５】
上記課題を解決するために本発明に係る照明器具付き便器は、便器５のボウル部１の上端開口縁部に設けたリム部２の後部に後方が開口した凹部５０を設けると共に凹部５０内に後側端部が嵌め込み用入口５１となった前後方向に延びる一対の嵌め込み用レール５２を設け、上記嵌め込み用レール５２間の凹部５０の底部に発光用開口部２９を設け、発光用開口部２９を透明な防水部材５３で覆い、該照明器具６の左右両側に設けた嵌め込み部５４を嵌め込み用レール５２に嵌め込むと共に照明器具６を防水部材５３上に重複することを特徴とするものである。
【０００６】
このような構成とすることで、便器５自体に設けた照明器具６によりボウル部１内を照らすことができるので、ボウル部１内を照明するに当って、従来のような照明器具を備えた別体の温水洗浄便座装置を便器５に取付けるというようなことを必要とせず、ボウル部１内を広く効果的に照明できる。また、便器５自体に照明器具６を設けるので、便器５の形状やサイズが異なるものであっても、該当する便器５に対応してボウル部１内を効果的に照らすように便器５に照明器具６を装備することができて、ボウル部１内を広く効果的に照明でき、また、リム部２の後部内に内装した照明器具６によりボウル部１内を照射するので、ボウル部１の底部の後部に設けられる水溜め部１４ｂを効果的に照明できて、排泄物の状態を確認しやすくなる。
【０００７】
また、便器５自体に照明器具６を設けるに当って、リム部２の後部に設けた後方が開口する凹部５０内に設けた一対の嵌め込み用レール５２を用いて後方からの嵌め込みにより取付けることができて、便器５への照明器具６の取付けが容易となり、しかも、リム部２内から発光用開口部２９を介してボウル部１内を照射するようにしたものであるが、発光用開口部２９を透明な防水部材５３で覆い、照明器具６が防水部材５３の上に重複して取付けてあるので、ボウル部１内で発生する汚水や洗浄水が飛散した飛散水が発光用開口部２９から照明器具６側に浸入するのを防止できる。
【０００８】
また、凹部５０の底部に重ねられる防水部材５３の下面部に発光用開口部２９に嵌め込まれる下突部６１を設け、防水部材５３の上面部に係止部５５を設け、照明器具６の下面部に上記係止部５５に係止される被係止部５６を設けることが好ましい。
【０００９】
防水部材５３が発光用開口部２９に嵌めこまれて凹部５０の底部に沿って動かないように取付けられ、嵌め込み用レール５２の後端から前方に嵌め込んだ照明器具６の被係止部５６が上記防水部材５３の係止部５５に係止されることで、簡単に照明器具６が動かないように取付けることができる。つまり、照明器具６を凹部５０の後方開口側から嵌め込み用レール５２に嵌め込み操作するだけで、照明器具６の取付けができて取付けが容易となる。
【００１０】
また、嵌め込み用レール５２のレール溝５７の上下方向の溝巾が嵌め込み用レール５２のレール溝５７の後端部の嵌め込み用入口５１側程次第に大きくなっていることが好ましい。
【００１１】
このような構成とすることで、照明器具６を凹部５０の後方開口側から嵌め込み用レール５２に嵌め込み操作する操作がより一層容易に行える。
【発明の効果】
【００１２】
本発明は、上記のように、便器自体にボウル部内を照らす照明器具を設けてあるので、ボウル部内の照明に当って、従来のように照明器具を備えた別途温水洗浄便座装置を便器に取付けるというようなことが必要でなく、すっきりした外観の便器とすることができる。また、ボウル部内を照らすことで、夜間、半覚醒状態でトイレに行く際、トイレ室の照明を消灯した状態でも便器のボウル部の位置が確認できるので、トイレ室の照明により覚醒されることなく用を足すことができる。また、ボウル部内を照らすことができるので、排泄物の観察ができて体調を確認することができる。更に、ボウル部内に照明器具を内装するに当って、リム部の後方から照明器具を前方に嵌め込むという操作で簡単に照明器具を取付けることができると共に、ボウル部内で発生する汚水や洗浄水が飛散した飛散水が発光用開口部から照明器具側に浸入するのを防止して、照明器具側が汚水により汚染されるのが防止できる。
【発明を実施するための最良の形態】
【００１３】
以下、本発明を添付図面に示す実施形態に基いて説明する。便器５にはボウル部１が設けてあり、ボウル部１の上端開口縁部には全周にわたってリム部２が設けてあって、リム部２の上面部が便座載置部２ａとなっている。
【００１４】
リム部２の下面部にはボウル部１内に向けて内側方に開口する側方開口溝部３がボウル部１の周方向の略全長にわたって形成してあり、この側方開口溝部３は全長にわたってボウル部１内に向けて側方が開口して側方開口７となっている。
【００１５】
側方開口溝部３の後端部の左右方向の一端部には洗浄水噴出部４を構成するボウル洗浄ノズル４ａが嵌め込まれる洗浄ノズル嵌め込み口３０が設けてあり、該洗浄ノズル嵌め込み口３０の側部が仕切り壁部となっている。したがって、洗浄水噴出部４から側方開口溝部３の後端部の左右方向の一端部に噴出された洗浄水は側方開口溝部３内を旋回しながら流れつつ一部が側方開口溝部３の側方開口７の下端縁部部分から徐々にボウル部１内に旋回流となって流れ、この旋回流によりボウル部１内が洗浄されることになる。
【００１６】
添付図面に示す実施形態においては、ボウル部１を備えた便器５はその主体部分が合成樹脂製となっているが、一部又は全文が陶器製であってもよい。
【００１７】
図１乃至図５に示す実施形態では、便器５は、ボウル部１を備えた前パーツ１０と、後パーツ１１と、支持フレーム１２とで構成してあり、便器５の主体を構成する前パーツ１０、後パーツ１１は共に合成樹脂製である。
【００１８】
前パーツ１０は水平断面略Ｃ字状をしたスカート部１３と、スカート部１３内の上部に嵌め込んで溶着一体化されたボウル部１と、更にボウル部１の上に嵌め込んでボウル部１の上端縁部及びスカート部１３の上端縁部に溶着一体化されたリム部２とで構成してある。
【００１９】
スカート部１３の前部の左右両側壁の下部には便器を設置する床面を照らす床面照明器具９と、小鳥の鳴き声や清流の音等を出すためのスピーカ４０とが設けてある。
【００２０】
ボウル部１の底部の後部には後方向に向けて排水筒部１４ａを突設した水溜め部１４ｂが形成してある。
【００２１】
排水筒部１４ａにはトラップの一端部が接続される。本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１内の下部、排水筒部１４ａ、トラップ筒内に水が溜まった状態となっていて、この状態で大便や小便を行い、大便や小便が終わると、後述のように洗浄水を流すと共に、トラップ筒を回動してトラップ構造を解除する状態にして、汚物と共に汚水を排水するようになっている。上記フレキシブルなトラップ筒、モータ等はトラップケース内に収納してあり、該トラップケースは金属製の支持フレーム１２に取付けてある。なお、トラップケースの下部は開口していてトラップ筒の端部が床に形成される排水筒に接続される。
【００２２】
図４に示すように、リム部２の後部には後方に開口する凹部５０が形成してあり、この凹部５０の前部にはボウル部１内に開口する洗浄ノズル出し入れ用開口部２５、送風用開口部２６を左右に並べて設けてあり、また、凹部５０の底部には図５に示すように発光用開口部２９、脱臭用開口部２７が設けてある。
【００２３】
凹部５０内の底部の上記発光用開口部２９の左右両側には図４、図９に示すように、それぞれ前後方向に延びる一対の嵌め込み用レール５２が設けてある。この嵌め込み用レール５２は後端部が嵌め込み用入口５１となっており、嵌め込み用レール５２のレール溝５７の上下方向の溝巾は後端部の嵌め込み用入口５１側程次第に大きくなるように形成してある。
【００２４】
防水部材５３は透明合成樹脂により形成してあり、図７に示すように、上部外周部がフランジ部５８となり、下面部中央部に下方に向けて突出する下突部６１となっており、フランジ部５８の上面には係止部５５となる孔が形成してある。下突部６１は発光用開口部２９にぴったりと嵌り込む形状となっている。上記防水部材５３のフランジ部５８の下面側には防水クッション５９を積層して取着してある。
【００２５】
上記防水部材５３は図９（ａ）のようにして凹部５０の後開口から凹部５０内に入れて、下突部６１を発光用開口部２９に嵌め込むと共に防水部材５３のフランジ部５８の下面に積層した防水クッション５９を介して凹部５０の底部上に載置することで図９（ｂ）のようにリム部２に取付ける。
【００２６】
照明器具６は照明器具本体部６０にＬＥＤのような発光手段を備えたもので、側面に後側ほど下となるように傾斜した板状の嵌め込み部５４が外側方に突設してある。照明器具本体部６０の下面部には被係止部５６となる突起が突設してあり、照明器具本体部６０の上面から電気コードが導出してある。
【００２７】
上記照明器具６は図９（ｂ）のように凹部５０の後開口から凹部５０内に入れて、左右の嵌め込み部５４を左右の嵌め込み用レール５２の後端部の嵌め込み用入口５１から嵌め込み用レール５２内に嵌め込んでいくものであり、嵌め込み用レール５２に沿って照明器具本体部６０を完全に前方に押し込んだ状態（図９（ｃ）の状態）で、照明器具６が防水部材５３上に密接状態で重複し、係止部５５である孔に被係止部５６である突起が係止され、同時に嵌め込み部５４が嵌め込み用レール５２の上の横片の下面に密接して図６のように取付ける。
【００２８】
この場合、前述のように防水部材５３の下突部６１が発光用開口部２９に嵌めこまれて凹部５０の底部に沿って動かないように取付けられ、嵌め込み用レール５２の後端から前方に嵌め込んだ照明器具６の被係止部５６が上記防水部材５３の係止部５５に係止されることで、簡単に照明器具６が動かないように取付けることができる。
【００２９】
このように、本発明においては、照明器具６を凹部５０の後方開口側から嵌め込み用レール５２に嵌め込み操作するだけで、照明器具６をリム部２の後部内の所定位置に取付けて発行用開口部２９を介してボウル部１内を照明できるように組み込むことができる。
【００３０】
そして、発光用開口部２９を透明な防水部材５３で覆い、照明器具６が防水部材５３の上に重複して取付けてあるので、ボウル部１内で発生する汚水や洗浄水が飛散した飛散水が発光用開口部２９から照明器具６側に浸入するのを防止できる。
【００３１】
後パーツ１１は、上カバー１６、装置支持ケース１７、リアカバー１８、上サイドカバー１９、下サイドカバー２０により構成してあり、これらはいずれも合成樹脂製である。
【００３２】
支持フレーム１２は金属製であって、前パーツ１０を支持フレーム１２にねじ具により取付け、後パーツ１１の装置支持ケース１７に局部洗浄用の温水洗浄装置２１ａ、局部乾燥用の送風装置２１ｂ、ボウル部１内の臭気を脱臭するための脱臭装置２１ｃ、人体検知センサ（図示せず）、洗浄水噴出部４を構成するボウル洗浄ノズル４ａ等の便器付属装置２１が取付けてあり、この装置支持ケース１７を支持フレーム１２にねじ具により取付けて支持してある。この場合、装置支持ケース１７の前端部が前パーツ１０のリム部２の凹部５０の後方開口から凹部５０内に嵌め込まれ、温水洗浄装置２１ａに設けた局部洗浄ノズル２４が洗浄ノズル出し入れ用開口部２５に嵌め込まれ、送風装置２１ｂのダクト先端部が送風用開口部２６に嵌め込まれ、脱臭装置２１ｃの吸入側端部が脱臭用開口部２７に嵌め込まれ、更に、洗浄水噴出部４を構成するボウル洗浄ノズル４ａが洗浄ノズル嵌め込み口３０に嵌め込まれる。
【００３３】
上カバー１６は装置支持ケース１７を覆うようにして取付けられるもので、上カバー１６には便座２２、便蓋２３が回動自在に取付けてある。リアカバー１８は、装置支持ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００３４】
上記のような構成の便器５において、便器５自体にボウル部１内を照らす照明器具６を備えているので、照明器具６でボウル部１内を効果的に照らすことができる。
【００３５】
ボウル部１内を照明器具６により照らすのは、手動スイッチを操作することで、照明器具６を点灯してボウル部１内を照らすようにしてもよく、あるいは、便器５に設けた人体検知センサにより人体を検知することで、照明器具６を点灯してボウル部１内を照らすようにしてもよい。
【００３６】
ボウル部１内を明るく照らすことで、ボウル部１内の掃除がし易くなり、また、排泄物の観察が良好にできて、体調、健康状態の確認が容易にできる。
【００３７】
また、夜間、寝ている時にトイレに行く場合、トイレ室の照明が点灯していると、半覚醒状態の人が覚醒状態になってしまって、トイレ使用後に眠れなくなるということがあるが、トイレ室の照明を消灯した状態でボウル部１内を照らすことで、半覚醒状態のままトイレの使用ができ、トイレ使用後にスムーズに眠りに入ることが可能となる。
【００３８】
また、便器５の壁部外面部に便器を設置する床面を照らす床面照明器具９を設けてあるので、夜間に便器５を設置する床面を照らすようにすることができる。これにより夜間にトイレ室内の照明を消灯した状態でも便器５の位置が確認でき、上記ボウル部１内の照明効果と相まって、半覚醒状態のままトイレの使用を使用する際、便器５の位置、便器５におけるボウル部１の位置が確認できるので、よりいっそう、間違うことなく、夜間にトイレの使用ができる。
【００３９】
上記実施形態においてはターントラップ式の便器５の例で説明したが、これにのみ限定されず、サイフォン式やサイフォンジェット式、あるいは洗い流し式のものであってもよい。
【図面の簡単な説明】
【００４０】
【図１】本発明の便器の断面図である。
【図２】同上の斜視図である。
【図３】同上の分解斜視図である。
【図４】同上の前パーツの分解斜視図である。
【図５】同上のリム部の下面図である。
【図６】図１のＸ部分の拡大断面図である。
【図７】（ａ）は同上に用いる防水部材を一方向から見た斜視図であり、（ｂ）は防水部材を反対方向から見た斜視図である。
【図８】（ａ）は同上に用いる照明器具を一方向から見た斜視図であり、（ｂ）は照明器具を反対方向から見た斜視図である。
【図９】（ａ）は防水部材を取付けようとする状態を説明する斜視図であり、（ｂ）は防水部材を取付けた後に照明器具を取付けようとする状態を説明する斜視図であり、（ｃ）は照明器具を取付けた状態の斜視図である。
【符号の説明】
【００４１】
１  ボウル
２  リム部
５  便器
６  照明器具
２９  発光用開口部
５０  凹部
５１  嵌め込み用入口
５２  嵌め込み用レール
５３  防水部材
５４  嵌め込み部
５５  係止部
５６  被係止部
６１  下突部
【図１】
2008138423.tif 000003
【図２】
2008138423.tif 000004
【図３】
2008138423.tif 000005
【図４】
2008138423.tif 000006
【図５】
2008138423.tif 000007
【図６】
2008138423.tif 000008
【図７】
2008138423.tif 000009
【図８】
2008138423.tif 000010
【図９】
2008138423.tif 000011